(57)【要約】      （修正有）【課題】利用者がズームミス操作を行った場合においても、適切な画像を生成する。【解決手段】画像データを生成する撮影光学部１２と、光学ズーム倍率を変化する光学ズーム処理部１１と、ズーム倍率変化条件を記憶する光学ズーム倍率変化条件記憶部１７と、所定の検出時間分の画像データを記憶する撮影画像一時記憶部１４と、画像を拡大又は縮小するディジタルズーム処理部１５と、所定の検出時間分の光学ズーム倍率を記憶する光学ズーム倍率記憶部２１と、光学ズーム倍率の変化がズーム倍率変化条件に一致するか否かを判定する光学ズーム倍率変化判定回路２３ａと、ズーム倍率変化条件に一致する場合に、画像記録部１６に記録される補正画像の拡大又は縮小の変化状態が緩やかに遷移するようにディジタルズーム倍率を算出するディジタルズーム倍率算出部２２とを備える。【選択図】図１
2010016601.tif 000002
【特許請求の範囲】
【請求項１】
入光する撮像光を撮像素子により光電変換して画像データを生成する撮影光学手段と、
前記生成された画像データに基づいて、画像を表示する画像表示手段と、
外部から供給される操作信号に基づいて、前記撮影光学手段に入光させる撮像光の光学ズーム倍率を変化する光学ズーム処理手段と、
前記光学ズーム処理手段による光学ズーム倍率の変化の特性を、ズーム倍率変化条件として記憶する光学ズーム倍率変化条件記憶手段と、
前記撮影光学手段により生成された所定の検出時間分の画像データを記憶する撮影画像一時記憶手段と、
前記撮影画像一時記憶手段に記憶された画像データに基づいて得られる画像を、ディジタル処理により拡大又は縮小させるディジタルズーム処理手段と、
前記ディジタルズーム処理手段により拡大又は縮小された補正画像の画像データを記録する画像記録手段と、
前記所定の検出時間分の前記光学ズーム倍率を、前記撮影画像一時記憶手段に記憶された前記所定の検出時間分の画像データに関連づけて記憶する光学ズーム倍率記憶手段と、
前記光学ズーム倍率記憶手段に記憶された光学ズーム倍率の変化が前記光学ズーム倍率変化条件記憶手段に記憶されたズーム倍率変化条件に一致するか否かを判定する光学ズーム倍率変化判定手段と、
前記光学ズーム倍率変化判定手段によりズーム倍率変化条件に一致すると判定された場合に、前記所定の検出時間分における前記補正画像の拡大又は縮小の変化状態が緩やかに遷移するように、前記ディジタルズーム処理手段が前記画像を拡大又は縮小させるためのディジタルズーム倍率を算出するディジタルズーム倍率算出手段と、
を備えることを特徴とする撮影装置。
【請求項２】
前記光学ズーム倍率の変化速度に応じて前記検出時間を算出する検出時間算出手段を更に備え、
前記撮影画像一時記憶手段は、
前記算出された検出時間分の前記撮影光学手段により生成された画像データを記憶し、
前記光学ズーム倍率記憶手段は、
前記算出された検出時間分の前記光学ズーム倍率を、前記算出された検出時間分の前記撮影画像一時記憶手段に記憶された画像データに関連づけて記憶し、
前記ディジタルズーム倍率算出手段は、
前記光学ズーム倍率変化判定手段によりズーム倍率変化条件に一致すると判定された場合に、前記算出された検出時間分における前記補正画像の拡大又は縮小の変化状態が緩やかに遷移するように、前記ディジタルズーム処理手段が前記画像を拡大又は縮小させるためのディジタルズーム倍率を算出するようにした
ことを特徴とする請求項１記載の撮影装置。
【請求項３】
入光する撮像光を撮像素子により光電変換して画像データを生成する撮影光学手段と、
前記撮影光学手段により生成された画像データを、外部から供給される操作信号に基づいて、ディジタル処理により第１のディジタルズーム倍率で拡大又は縮小させる第１のディジタルズーム処理手段と、
前記第１のディジタルズーム処理手段により拡大又は縮小された画像を表示する画像表示手段と、
前記第１のディジタルズーム倍率の変化の特性を、ズーム倍率変化条件として記憶するディジタルズーム倍率変化条件記憶手段と、
前記第１のディジタルズーム処理手段により拡大又は縮小された所定の検出時間分の画像データを記憶する撮影画像一時記憶手段と、
前記撮影画像一時記憶手段に記憶された画像データに基づいて得られる画像を、ディジタル処理により第２のディジタルズーム倍率で拡大又は縮小させる第２のディジタルズーム処理手段と、
前記第２のディジタルズーム処理手段により拡大又は縮小された補正画像の画像データを記録する画像記録手段と、
前記所定の検出時間分の前記第１のディジタルズーム倍率を、前記撮影画像一時記憶手段に記憶された前記所定の検出時間分の画像データに関連づけて記憶する第１のディジタルズーム倍率記憶手段と、
前記第１のディジタルズーム倍率記憶手段に記憶された第１のディジタルズーム倍率の変化が、前記ディジタルズーム倍率変化条件記憶手段に記憶されたズーム倍率変化条件に一致するか否かを判定するディジタルズーム倍率変化判定手段と、
前記ディジタルズーム倍率変化判定手段によりズーム倍率変化条件に一致すると判定された場合に、前記所定の検出時間分における前記補正画像の拡大又は縮小の変化状態が緩やかに遷移するように、前記第２のディジタルズーム処理手段が前記画像を拡大又は縮小させるための第２のディジタルズーム倍率を算出する第２のディジタルズーム倍率算出手段と、
を備えることを特徴とする撮影装置。
【請求項４】
前記第１のディジタルズーム倍率の変化速度に応じて前記検出時間を算出する検出時間算出手段を更に備え、
前記撮影画像一時記憶手段は、
前記算出された検出時間分の前記第１のディジタルズーム処理手段により拡大又は縮小された画像データを記憶し、
前記第１のディジタルズーム倍率記憶手段は、
前記算出された検出時間分の前記第１のディジタルズーム倍率を、前記算出された検出時間分の前記撮影画像一時記憶手段に記憶された画像データに関連づけて記憶し、
前記第２のディジタルズーム倍率算出手段は、
前記ディジタルズーム倍率変化判定手段によりズーム倍率変化条件に一致すると判定された場合に、前記算出された検出時間分における前記補正画像の拡大又は縮小の変化状態が緩やかに遷移するように、前記第２のディジタルズーム処理手段が前記画像を拡大又は縮小させるための第２のディジタルズーム倍率を算出するようにした
ことを特徴とする請求項３記載の撮影装置。
【請求項５】
ズーム機能を有する撮影装置により撮影された画像データと、この撮影された時のズーム倍率とが関連づけられたズーム画像データとが外部から供給された場合に、この供給されたズーム画像データに基づいて前記画像データを再生する再生装置であって、
前記ズーム画像データから前記画像データと前記ズーム倍率とを抽出する抽出手段と、
前記抽出手段により抽出された所定の検出時間分の画像データを記憶する画像一時記憶手段と、
前記ズーム倍率の変化の特性を、ズーム倍率変化条件として記憶するズーム倍率変化条件記憶手段と、
前記画像一時記憶手段に記憶された画像データに基づいて得られる画像をディジタル処理により拡大又は縮小させてディジタル補正画像データを生成するディジタルズーム処理手段と、
前記ディジタルズーム処理手段により生成されたディジタル画像データに基づいて、表示画像を表示する画像表示手段と、
前記抽出手段により抽出された前記所定の検出時間分の前記ズーム倍率を、前記画像一時記憶手段に記憶された前記所定の検出時間分の画像データに関連づけて記憶するズーム倍率記憶手段と、
前記ズーム倍率記憶手段に記憶されたズーム倍率の変化が前記ズーム倍率変化条件記憶手段に記憶されたズーム倍率変化条件に一致するか否かを判定するズーム倍率変化判定手段と、
前記ズーム倍率変化判定手段によりズーム倍率変化条件に一致すると判定された場合に、前記画像表示手段に表示される前記所定の検出時間分の表示画像の拡大又は縮小の変化状態が緩やかに遷移するように、前記ディジタルズーム処理手段が前記画像を拡大又は縮小させるためのディジタルズーム倍率を算出するディジタルズーム倍率算出手段と、
を備えることを特徴とする再生装置。
【請求項６】
前記ズーム画像データは、更に前記ズーム倍率の変化速度を含み、
前記抽出手段は、
前記ズーム画像データから前記画像データと前記ズーム倍率と前記変化速度とを抽出し、
前記抽出された変化速度に応じて前記検出時間を算出する検出時間算出手段を更に備え、
前記画像一時記憶手段は、
前記算出された検出時間分の前記抽出手段により抽出された画像データを記憶し、
前記ズーム倍率記憶手段は、
前記算出された検出時間分の前記抽出手段により抽出されたズーム倍率を、前記算出された検出時間分の前記画像一時記憶手段に記憶された画像データに関連づけて記憶し、
前記ディジタルズーム倍率算出手段は、
前記ズーム倍率変化判定手段によりズーム倍率変化条件に一致すると判定された場合に、前記画像表示手段に表示される前記算出された検出時間分の表示画像の拡大又は縮小の変化状態が緩やかに遷移するように、前記ディジタルズーム処理手段が前記画像を拡大又は縮小させるためのディジタルズーム倍率を算出するようにした
ことを特徴とする請求項５記載の再生装置。
【発明の詳細な説明】
【技術分野】
【０００１】
本発明は、光学的又はディジタル処理によるズーム機能を用いて撮影された画像のうち、利用者によるズーム機能の誤操作により撮影された画像に対して、ズーム倍率を補正する撮影装置及び再生装置に関する。
【背景技術】
【０００２】
一般的に、光学ズーム機能やディジタルズーム機能を有するズーム機能付き撮影装置が普及している。
【０００３】
この一般的なズーム機能付き撮影装置は、利用者による光学ズーム倍率又はディジタルズーム倍率を指定する操作に基づいて、遠方の被写体を撮影する場合には画像を拡大して撮影し、近距離の被写体を撮影する場合には画像を縮小して撮影する。
【０００４】
このように、一般的なズーム機能付き撮影装置は、利用者による操作に基づいて画像を拡大して撮影するので、利用者の誤操作により見苦しい画像を撮影してしまう場合があった。例えば、利用者が誤ってズーム倍率を上げすぎて被写体画像が撮影画面の範囲外にはみ出してしまい、慌ててズーム倍率を下げる誤操作を行うことがあった。また、利用者はズーム倍率を所望のズーム倍率に達する前に操作を中止してしまい、再度ズーム倍率を上げたり、下げたりする誤操作を行うことがあった。
【０００５】
このような誤操作が行われて撮影された場合、ズーム倍率を頻繁に上下させて撮影された画像や、ズーム倍率を断続的に上げたりして撮影された画像は、利用者にとって非常に見苦しいものとなっていた。
【０００６】
特許文献１には、被写体までの距離をポイントで測定し、最至近距離のポイントにズームを自動的に駆動させるカメラズームレンズ自動変倍装置が提案されている。
【０００７】
また、特許文献２には、手振れ量を検出する手振れ量検出手段と、ズームレンズの位置を検出するズーム位置検出手段と、手振れ量検出手段とズーム位置検出手段の検出結果に基づいて、撮像画面を切り出す大きさと切り出す位置を連続的に可変できる手段と、撮像面上の撮像画面を切り出して出力する画像出力手段とを備え、手振れ補正のスイッチのオン／オフに応じて、撮像画面の切り出しの大きさを徐々に変化させる撮像装置が提案されている。
【０００８】
具体的には、特許文献２に記載の撮像装置は、余裕領域生成回路が撮像画面上の余裕領域の大きさを決定し、切り出す大きさを決め、信号処理制御回路で撮像素子の撮像画像の切り出し位置と大きさを決定し、これに基づき信号処理回路で撮像画像を切り出して出力画像を出力させる。そして、手振れ補正のスイッチをオンからオフに切り替えた時、マイコン等の制御により余裕領域生成回路、信号処理制御回路で何段階かに分けて徐々に切り出す大きさを大きくしていき、信号処理回路で出力画像を出力する。
【特許文献１】特開平１−２３２３１５号公報
【特許文献２】特開平７−２０３２７９号公報
【発明の開示】
【発明が解決しようとする課題】
【０００９】
しかしながら、特許文献１に記載の技術では、被写体が撮影画面内に捕捉され、かつ被写体以外の物体が撮影画面内に存在しないことが前提であり、もし、被写体と撮影装置との間に別の物体が入った場合には正常な動作を望めない。
【００１０】
また、特許文献２に記載の技術では、手振れ補正のスイッチをオンからオフに切り替えた時、マイコン等の制御により余裕領域生成回路、信号処理制御回路で何段階かに分けて徐々に切り出す大きさを大きくしていき、信号処理回路で出力画像を出力するので、利用者が、ズーム倍率を頻繁に上下させて撮影した場合や、ズーム倍率を断続的に上下させて撮影した場合等、利用者がズームミス操作を行った場合、撮影された画像は利用者にとって非常に見苦しいものとなっていた。
【００１１】
本発明は、上記課題に鑑みてなされたものであり、利用者がズームミス操作を行った場合においても、適切な画像を生成する撮影装置及び再生装置を提供することを目的とする。
【課題を解決するための手段】
【００１２】
上記目的を達成するため、本発明に係る撮影装置の第１の特徴は、入光する撮像光を撮像素子により光電変換して画像データを生成する撮影光学手段（１２）と、前記生成された画像データに基づいて、画像を表示する画像表示手段（１３）と、外部から供給される操作信号に基づいて、前記撮影光学手段（１２）に入光させる撮像光の光学ズーム倍率を変化する光学ズーム処理手段（１１）と、前記光学ズーム処理手段（１１）による光学ズーム倍率の変化の特性を、ズーム倍率変化条件として記憶する光学ズーム倍率変化条件記憶手段（１７）と、前記撮影光学手段（１２）により生成された所定の検出時間分の画像データを記憶する撮影画像一時記憶手段（１４）と、前記撮影画像一時記憶手段（１４）に記憶された画像データに基づいて得られる画像を、ディジタル処理により拡大又は縮小させるディジタルズーム処理手段（１５）と、前記ディジタルズーム処理手段（１５）により拡大又は縮小された補正画像の画像データを記録する画像記録手段（１６）と、前記所定の検出時間分の前記光学ズーム倍率を、前記撮影画像一時記憶手段（１４）に記憶された前記所定の検出時間分の画像データに関連づけて記憶する光学ズーム倍率記憶手段（２１）と、前記光学ズーム倍率記憶手段（２１）に記憶された光学ズーム倍率の変化が前記光学ズーム倍率変化条件記憶手段に記憶されたズーム倍率変化条件に一致するか否かを判定する光学ズーム倍率変化判定手段（２３ａ）と、前記光学ズーム倍率変化判定手段（２３ａ）によりズーム倍率変化条件に一致すると判定された場合に、前記所定の検出時間分における前記補正画像の拡大又は縮小の変化状態が緩やかに遷移するように、前記ディジタルズーム処理手段（１５）が前記画像を拡大又は縮小させるためのディジタルズーム倍率を算出するディジタルズーム倍率算出手段（２２）と、を備えることにある。
【００１３】
上記目的を達成するため、本発明に係る撮影装置の第２の特徴は、前記光学ズーム倍率の変化速度に応じて前記検出時間を算出する検出時間算出手段（２３ｂ）を更に備え、前記撮影画像一時記憶手段（１４）は、前記算出された検出時間分の前記撮影光学手段（１２）により生成された画像データを記憶し、前記光学ズーム倍率記憶手段（２１）は、前記算出された検出時間分の前記光学ズーム倍率を、前記算出された検出時間分の前記撮影画像一時記憶手段（１４）に記憶された画像データに関連づけて記憶し、前記ディジタルズーム倍率算出手段（２２）は、前記光学ズーム倍率変化判定手段によりズーム倍率変化条件に一致すると判定された場合に、前記算出された検出時間分における前記補正画像の拡大又は縮小の変化状態が緩やかに遷移するように、前記ディジタルズーム処理手段が前記画像を拡大又は縮小させるためのディジタルズーム倍率を算出するようにしたことにある。
【００１４】
上記目的を達成するため、本発明に係る撮影装置の第３の特徴は、入光する撮像光を撮像素子により光電変換して画像データを生成する撮影光学手段（３２）と、前記撮影光学手段（３２）により生成された画像データを、外部から供給される操作信号に基づいて、ディジタル処理により第１のディジタルズーム倍率で拡大又は縮小させる第１のディジタルズーム処理手段（３５ａ）と、前記第１のディジタルズーム処理手段（３５ａ）により拡大又は縮小された画像を表示する画像表示手段（３３）と、前記第１のディジタルズーム倍率の変化の特性を、ズーム倍率変化条件として記憶するディジタルズーム倍率変化条件記憶手段（３７）と、前記第１のディジタルズーム処理手段（３５ａ）により拡大又は縮小された所定の検出時間分の画像データを記憶する撮影画像一時記憶手段（１４）と、前記撮影画像一時記憶手段（１４）に記憶された画像データに基づいて得られる画像を、ディジタル処理により第２のディジタルズーム倍率で拡大又は縮小させる第２のディジタルズーム処理手段（３５ｂ）と、前記第２のディジタルズーム処理手段（３５ｂ）により拡大又は縮小された補正画像の画像データを記録する画像記録手段（３６）と、前記所定の検出時間分の前記第１のディジタルズーム倍率を、前記撮影画像一時記憶手段（１４）に記憶された前記所定の検出時間分の画像データに関連づけて記憶する第１のディジタルズーム倍率記憶手段（４１）と、前記第１のディジタルズーム倍率記憶手段（４１）に記憶された第１のディジタルズーム倍率の変化が、前記ディジタルズーム倍率変化条件記憶手段（３７）に記憶されたズーム倍率変化条件に一致するか否かを判定するディジタルズーム倍率変化判定手段（４３ａ）と、前記ディジタルズーム倍率変化判定手段（４３ａ）によりズーム倍率変化条件に一致すると判定された場合に、前記所定の検出時間分における前記補正画像の拡大又は縮小の変化状態が緩やかに遷移するように、前記第２のディジタルズーム処理手段（３５ｂ）が前記画像を拡大又は縮小させるための第２のディジタルズーム倍率を算出する第２のディジタルズーム倍率算出手段（４２）とを備えることにある。
【００１５】
上記目的を達成するため、本発明に係る撮影装置の第４の特徴は、前記第１のディジタルズーム倍率の変化速度に応じて前記検出時間を算出する検出時間算出手段（２３ｂ）を更に備え、前記撮影画像一時記憶手段（１４）は、前記算出された検出時間分の前記第１のディジタルズーム処理手段（３５ａ）により拡大又は縮小された画像データを記憶し、前記第１のディジタルズーム倍率記憶手段（４１）は、前記算出された検出時間分の前記第１のディジタルズーム倍率を、前記算出された検出時間分の前記撮影画像一時記憶手段（１４）に記憶された画像データに関連づけて記憶し、前記第２のディジタルズーム倍率算出手段（４２）は、前記ディジタルズーム倍率変化判定手段（４３ａ）によりズーム倍率変化条件に一致すると判定された場合に、前記算出された検出時間分における前記補正画像の拡大又は縮小の変化状態が緩やかに遷移するように、前記第２のディジタルズーム処理手段が前記画像を拡大又は縮小させるための第２のディジタルズーム倍率を算出するようにしたことにある。
【００１６】
上記目的を達成するため、本発明に係る再生装置の第１の特徴は、ズーム機能を有する撮影装置（５，６）により撮影された画像データと、この撮影された時のズーム倍率とが関連づけられたズーム画像データとが外部から供給された場合に、この供給されたズーム画像データに基づいて前記画像データを再生する再生装置であって、前記ズーム画像データから前記画像データと前記ズーム倍率とを抽出する抽出手段（５１）と、前記抽出手段（５１）により抽出された所定の検出時間分の画像データを記憶する画像一時記憶手段（５４）と、前記ズーム倍率の変化の特性を、ズーム倍率変化条件として記憶するズーム倍率変化条件記憶手段（５７）と、前記画像一時記憶手段（５４）に記憶された画像データに基づいて得られる画像をディジタル処理により拡大又は縮小させてディジタル補正画像データを生成するディジタルズーム処理手段（５５）と、前記ディジタルズーム処理手段（５５）により生成されたディジタル画像データに基づいて、表示画像を表示する画像表示手段（５３）と、前記抽出手段（５１）により抽出された前記所定の検出時間分の前記ズーム倍率を、前記画像一時記憶手段（５４）に記憶された前記所定の検出時間分の画像データに関連づけて記憶するズーム倍率記憶手段（６１）と、前記ズーム倍率記憶手段（６１）に記憶されたズーム倍率の変化が前記ズーム倍率変化条件記憶手段に記憶されたズーム倍率変化条件に一致するか否かを判定するズーム倍率変化判定手段（６３ａ）と、前記ズーム倍率変化判定手段（６３ａ）によりズーム倍率変化条件に一致すると判定された場合に、前記画像表示手段（５３）に表示される前記所定の検出時間分の表示画像の拡大又は縮小の変化状態が緩やかに遷移するように、前記ディジタルズーム処理手段（５５）が前記画像を拡大又は縮小させるためのディジタルズーム倍率を算出するディジタルズーム倍率算出手段（６２）とを備えることにある。
【００１７】
上記目的を達成するため、本発明に係る再生装置の第２の特徴は、前記ズーム画像データは、更に前記ズーム倍率の変化速度を含み、前記抽出手段（５１）は、前記ズーム画像データから前記画像データと前記ズーム倍率と前記変化速度とを抽出し、前記抽出された変化速度に応じて前記検出時間を算出する検出時間算出手段（６３ｂ）を更に備え、前記画像一時記憶手段（５４）は、前記算出された検出時間分の前記抽出手段（５１）により抽出された画像データを記憶し、前記ズーム倍率記憶手段（６１）は、前記算出された検出時間分の前記抽出手段（５１）により抽出されたズーム倍率を、前記算出された検出時間分の前記画像一時記憶手段（５４）に記憶された画像データに関連づけて記憶し、前記ディジタルズーム倍率算出手段（６２）は、前記ズーム倍率変化判定手段（６３ａ）によりズーム倍率変化条件に一致すると判定された場合に、前記画像表示手段に表示される前記算出された検出時間分の表示画像の拡大又は縮小の変化状態が緩やかに遷移するように、前記ディジタルズーム処理手段が前記画像を拡大又は縮小させるためのディジタルズーム倍率を算出するようにしたことにある。
【発明の効果】
【００１８】
本発明の撮影装置及び再生装置によれば、利用者がズームミス操作を行った場合においても、適切な画像を生成することができる。
【発明を実施するための最良の形態】
【００１９】
以下、本発明の実施の形態について図面を参照して説明する。
【実施例１】
【００２０】
利用者が撮影装置に対して、例えば光学ズーム倍率を断続的に上げる操作を行った場合や、短時間のうちに光学ズーム倍率を上下させる操作を行った場合、利用者は光学ズーム倍率の誤操作を行ったと推測することができる。
【００２１】
そこで、本発明の実施例１では、利用者の操作による光学ズーム倍率の変化を検出し、この光学ズーム倍率の変化に応じて、画像の拡大又は縮小の変化状態の遷移が緩やかになるようにディジタルズーム倍率を算出する撮影装置を例に挙げて説明する。
【００２２】
＜撮影装置の構成＞
図１は、本発明の実施例１である撮影装置の構成を示した構成図である。
【００２３】
本発明の実施例１である撮影装置１は、光学ズーム処理部１１と、撮影光学部１２と、画像表示部１３と、撮影画像一時記憶部１４と、ディジタルズーム処理部１５と、画像記録部１６と、ＲＯＭ１７と、ＲＡＭ１８と、ズーム倍率入力部１９と、操作部２０と、光学ズーム倍率記憶部２１と、ディジタルズーム倍率算出部２２と、制御部２３とを備える。
【００２４】
光学ズーム処理部１１は、制御部２３から供給される制御信号に基づいて、撮影光学部１２に入光させる撮像光の光学ズーム倍率を変化する。
【００２５】
撮影光学部１２は、光学ズーム処理部１１から入光する撮像光を撮像素子により光電変換して画像データを生成する。
【００２６】
画像表示部１３は、有機ＥＬ（electroluminescence）ディスプレイや、液晶ディスプレイ等の画像出力手段を備え、制御部２３からの制御信号に従い、撮影光学部１２から供給される画像データに基づいて、表示画像を表示する。さらに、画像表示部１３は、画像記録部１６から読み出したディジタル補正画像データに基づいて、表示画像を表示する。
【００２７】
撮影画像一時記憶部１４は、撮影光学部１２により生成された所定の検出時間分の画像データを記憶する。ここで、検出時間とは、予め定められた一定の時間であり、提供者や利用者等が予め適正な値を設定しておく必要がある。
【００２８】
ディジタルズーム処理部１５は、撮影画像一時記憶部１４に記憶された画像データに基づいて得られる所定の検出時間分の画像を、後述する制御部２３のディジタルズーム倍率算出部２２により算出されたディジタルズーム倍率で拡大又は縮小させる。
【００２９】
図２は、ディジタルズーム処理部１５によるディジタル処理を説明した図であり、図２（ａ）は、撮影画像を示しており、図２（ｂ），（ｃ）は、ディジタルズーム処理部１５により撮影画像が拡大された表示画像を示している。
【００３０】
図２（ａ）に示すように、ディジタルズーム処理部１５は、撮影画像一時記憶部１４に記憶された画像データから得られる撮影画像１０１に対して、ディジタルズーム倍率算出部２２により算出されたディジタルズーム倍率に基づいて、撮影画像１０１内の切り取る領域を決定する。そして、ディジタルズーム処理部１５は、決定された領域、即ち図２（ａ）に示す撮影画像１０１ａの領域の撮影画像をトリミング処理により、この切り取られた撮影画像１０１ａを撮影画像１０１と同じ大きさに拡大し、図２（ｂ）に示す表示画像１０２を生成する。
【００３１】
さらに、ディジタルズーム処理部１５は、同様に、撮影画像１０１に対して、破線で示す撮影画像１０１ｂの部分を切り取り、この切り取られた撮影画像１０１ｂを撮影画像１０１と同じ大きさに拡大し、図２（ｃ）に示す表示画像１０３を生成する。
【００３２】
このようにして、ディジタルズーム処理部１５は、制御部２３から供給されるディジタルズーム倍率に基づいて撮影画像１０１を拡大する。
【００３３】
画像記録部１６は、例えばハードディスクドライブや光ディスクドライブを備え、制御部２３からの制御信号に従い、ディジタルズーム処理部１５により拡大又は縮小された補正画像の画像データをディジタル補正画像データとして記録する。
【００３４】
ＲＯＭ１７は、光学ズーム処理部１１による光学ズーム倍率の変化の特性を、ズーム倍率変化条件として記憶する。
【００３５】
図３は、ＲＯＭ１７が記憶するズーム倍率変化条件の一例を示した図である。
【００３６】
図３に示すように、ズーム倍率変化条件は、光学ズーム倍率の変化の状態数２０１と、光学ズーム倍率の変化状態２０２と、判定条件２０３とが関連づけられて記憶されている。
【００３７】
ＲＡＭ１８は、揮発性半導体素子などで構成され、後述するディジタルズーム倍率算出部２２により算出されたディジタルズーム倍率を記憶する他、制御部２３から供給される各種データを記憶する。
【００３８】
ズーム倍率入力部１９は、ズーム倍率操作ボタンを備えており、利用者によるズーム倍率操作ボタンの操作に基づいて、光学ズーム処理部１１が変化するズーム倍率を生成する。
【００３９】
操作部２０は、各種操作ボタン等を備えており、利用者による各種操作ボタン等の操作に基づいて、各種操作信号を生成する。
【００４０】
光学ズーム倍率記憶部２１は、ズーム倍率入力部１９から供給された所定時間分の光学ズーム倍率を撮影画像一時記憶部１４に記憶された所定時間分の画像データに関連づけて記憶する。
【００４１】
ディジタルズーム倍率算出部２２は、光学ズーム倍率記憶部２１に記憶された光学ズーム倍率の変化が、後述するＲＯＭ１７に記憶されたズーム倍率変化条件に一致すると判定された場合に、画像記録部１６に記録される補正画像の拡大又は縮小の変化の状態が緩やかに遷移するように、ディジタルズーム処理部１５が画像を拡大又は縮小させるためのディジタルズーム倍率を算出する。
【００４２】
制御部２３は、撮影装置１の中枢的な制御を行う。具体的には、操作部２０から供給された操作信号に基づいて、撮影や画像表示等の基本的機能の制御を行う。
【００４３】
また、制御部２３は、その機能上、光学ズーム倍率変化判定回路２３ａを備える。
【００４４】
ズーム倍率変化判定回路２３ａは、光学ズーム倍率記憶部２１に記憶された光学ズーム倍率の変化がＲＯＭ１７に記憶されたズーム倍率変化条件に一致するか否かを判定する。
【００４５】
＜撮影装置１の作用＞
次に、本発明の実施例１である撮影装置１の作用について説明する。
【００４６】
本発明の実施例１である撮影装置１は、主に光学ズーム倍率記憶処理と、光学ズーム倍率変化判定処理と、光学ズーム倍率補正処理を行う。そのため、各々の処理について以下に詳細に説明する。
【００４７】
≪光学ズーム倍率記憶処理≫
図４は、本発明の実施例１である撮影装置１の光学ズーム倍率記憶処理及び光学ズーム倍率変化判定処理を説明した図である。
【００４８】
図４に示すように、ｔ１時点において、撮影装置１は利用者の操作により電源を投入すると、ｔ１時点以降、ズーム倍率入力部１９から供給される光学ズーム倍率の変更を要求する操作信号に基づいて、光学ズーム処理部１１が光学ズーム倍率４０１に示すように光学ズーム倍率を変更する。
【００４９】
具体的には、ｔ１時点からｔ３時点までの間、光学ズーム処理部１１は光学ズーム倍率を１倍（ａ１）から８倍（ａ２）まで上げており、ｔ３時点からｔ４時点までの間、光学ズーム倍率を８倍（ａ２〜ａ３）で維持しており、ｔ４時点からｔ５時点までの間、再度光学ズーム倍率を８倍（ａ３）から１１倍（ａ４）まで上げている。なお、ここでは、電源投入時の光学ズーム倍率は、初期値として１倍に設定されているものとする。
【００５０】
そして、撮影光学部１２は、光学ズーム処理部１１により設定された光学ズーム倍率により入光する撮像光を内部に備えた撮像素子により光電変換して画像データを生成し、この生成された検出時間ＰＴ分の画像データを撮影画像一時記憶部１４に記憶させる。具体的には、撮影光学部１２は、画像データを撮影画像一時記憶部１４に記憶し続け、撮影画像一時記憶部１４に記憶された画像データが検出時間ＰＴ分に達すると、制御部２３が、生成された日時が古いものから順に画像データをディジタルズーム処理部１５へ供給すると共に、撮影画像一時記憶部１４から削除する。そして、制御部２３は、新しく生成された画像データを撮影画像一時記憶部１４に記憶させる。
【００５１】
なお、検出時間ＰＴは、長すぎても短すぎても、後述する光学ズーム倍率変化判定処理において適切な判定ができなくなるので、提供者や利用者等が予め適正な値を設定しておく必要がある。
【００５２】
また、このとき制御部２３は、撮影画像一時記憶部１４に記憶させた画像データと同期して、光学ズーム倍率を光学ズーム倍率記憶部２１に記憶させる。具体的には、図４に示すように、検出時間ＰＴ分の光学ズーム倍率４０２を撮影画像一時記憶部１４に記憶させた画像データ４０３と関連づけて、光学ズーム倍率記憶部２１に記憶させる。そして、制御部２３は、光学ズーム倍率記憶部２１に記憶された光学ズーム倍率が検出時間ＰＴ分に達すると、生成された日時が古いものから順に光学ズーム倍率を削除し、新しく生成された光学ズーム倍率を記憶させる。
【００５３】
≪光学ズーム倍率変化判定処理≫
次に、図４を用いて、本発明の実施例１である撮影装置１の光学ズーム倍率変化判定処理について説明する。なお、光学ズーム倍率変化判定処理は、光学ズーム倍率記憶部２１に記憶された光学ズーム倍率が検出時間ＰＴ分に達した後、新しく生成された光学ズーム倍率が光学ズーム倍率記憶部２１に記憶される度に実行される。
【００５４】
制御部２３の光学ズーム倍率変化判定回路２３ａは、光学ズーム倍率記憶部２１に記憶された検出時間ＰＴ分の光学ズーム倍率から、光学ズーム倍率の変化、即ち光学ズーム倍率変化の状態数、光学ズーム倍率の変化状態、及び各変化状態の期間長を抽出する。
【００５５】
光学ズーム倍率変化の状態数とは、光学ズーム倍率の変化率が一定である期間の数のことをいい、光学ズーム倍率の変化状態とは、光学ズーム倍率の変化率が一定である期間において、光学ズーム倍率が上昇（ズームアップ）しているのか、一定（ズーム変化なし）なのか、下降（ズームダウン）しているのかを示す記号のことをいい、変化状態の期間長とは、光学ズーム倍率の変化率が一定である期間の長さのことをいう。
【００５６】
図４に示した例では、光学ズーム倍率変化判定回路２３ａは、検出時間ＰＴにおける光学ズーム倍率変化の状態数を、ａ１〜ａ２間の状態（第１の状態４１１）、ａ２〜ａ３間の状態（第２の状態４１２）、及びａ３〜ａ４間の状態（第３の状態４１３）の“３”として抽出する。
【００５７】
また、光学ズーム倍率変化判定回路２３ａは、光学ズーム倍率の変化状態として、第１の状態４１１における光学ズーム倍率の変化状態を“ズームアップ”、第２の状態４１２における光学ズーム倍率の変化状態を“変化なし”、第３の状態４１３における光学ズーム倍率の変化状態を“ズームアップ”として抽出する。
【００５８】
さらに、光学ズーム倍率変化判定回路２３ａは、変化状態の期間長として、第１の状態４１１の期間長を“ＳＴ１”、第２の状態４１２の期間長を“ＳＴ２”、第３の状態４１３の期間長を“ＳＴ３”として抽出する。
【００５９】
次に、光学ズーム倍率変化判定回路２３ａは、抽出した光学ズーム倍率変化の状態数、光学ズーム倍率の変化状態、及び各変化状態の期間長が、ＲＯＭ１７に記憶されたズーム倍率変化条件、即ち図３に示したズーム倍率変化条件に一致するか否かを判定する。
【００６０】
図４に示した例では、光学ズーム倍率変化の状態数が“３”であり、光学ズーム倍率の変化状態が“ズームアップ”、“変化なし”、“ズームアップ”であるので、これと一致するズーム倍率変化条件として、ズーム倍率変化条件３０２を抽出する。そして、光学ズーム倍率変化判定回路２３ａは、このズーム倍率変化条件３０２から状態の期間長２０３の条件式“ＳＴ２≦ｅ１２”及び“ＳＴ３≧ｅ１３”を抽出し、期間長ＳＴ２及びＳＴ３がこの抽出された条件式を満たすか否かを判定する。
【００６１】
ここで、ｅ１２は、ｅ１３は、提供者等によって予め設定されている。
【００６２】
ＳＴ２が十分短い場合、利用者が誤操作を行ったと認識して光学ズーム倍率を変更する操作をしたと推測できるので、所定のｅ１２を上限値として設けている。また、ＳＴ３が十分長い場合、利用者が所望の光学ズーム倍率に到達したと推測できるので、所定のｅ１３を下限値として設けている。
【００６３】
そして、この条件式を満たすと判定された場合、光学ズーム倍率変化判定回路２３ａは、検出時間ＰＴにおける光学ズーム倍率の変化が、ＲＯＭ１７に記憶されたズーム倍率変化条件に一致すると判定する。
【００６４】
≪光学ズーム倍率補正処理≫
図５は、本発明の実施例１である撮影装置１のディジタルズーム倍率算出部２２による光学ズーム倍率補正処理を説明した図である。
【００６５】
図５に示すように、ディジタルズーム倍率算出部２２は、光学ズーム倍率変化判定回路２３ａにより、検出時間ＰＴにおける光学ズーム倍率の変化がズーム倍率変化条件に一致すると判定された場合に、画像記録部１６に記録される補正画像の拡大又は縮小の変化状態の遷移が緩やかになるように補正ズーム倍率４０４を算出する。
【００６６】
具体的には、ディジタルズーム倍率算出部２２は、ｔ３時点における光学ズーム倍率（ａ２）と、ｔ５時点における光学ズーム倍率（ａ４）とを結ぶ直線を補正ズーム倍率４０４として算出する。
【００６７】
次に、ディジタルズーム倍率算出部２２は、算出した補正ズーム倍率４０４に基づいて、ディジタルズーム処理部１５が画像を拡大又は縮小させるためのディジタルズーム倍率を算出する。具体的には、補正ズーム倍率４０４を算出した期間、即ちｔ３時点〜ｔ５時点までの間におけるディジタルズーム倍率を下記数式１を用いて算出する。
【００６８】
ＤＺ＝ＲＺ／ＯＺ      （数式１）
ここで、ＤＺをディジタルズーム倍率、ＲＺを算出した補正ズーム倍率、ＯＺを光学ズーム倍率とする。
【００６９】
そして、ディジタルズーム倍率算出部２２は、このようにして算出したディジタルズーム倍率４０５を撮影画像一時記憶部１４に記憶させた画像データと同期して、ＲＡＭ１８に記憶させる。
【００７０】
次に、ディジタルズーム処理部１５は、ＲＡＭ１８に記憶されたディジタルズーム倍率に基づいて、撮影画像一時記憶部１４に記憶された画像データを拡大又は縮小してディジタル補正画像データを生成し、この生成されたディジタル補正画像データを画像記録部１６に記録させる。
【００７１】
以上のように、本発明の実施例１である撮影装置１によれば、光学ズーム倍率記憶部２１に記憶された光学ズーム倍率の変化がズーム倍率変化条件に一致すると判定された場合に、画像記録部１６に記録される補正画像の拡大又は縮小の変化状態の遷移が緩やかになるように、ディジタルズーム倍率を算出するので、利用者がズームミス操作を行った場合においても、適切な画像を生成することができる。
【００７２】
なお、本発明の実施例１である撮影装置１では、ｔ３時点における光学ズーム倍率（ａ２）と、ｔ５時点における光学ズーム倍率（ａ４）とを結ぶ直線を補正ズーム倍率４０４として算出したが、これに限らない。
【００７３】
例えば、検出時間ＰＴの間における光学ズーム倍率の始点及び終点を結ぶ直線を補正ズーム倍率として算出してもよい。
【００７４】
図６は、検出時間ＰＴの間における光学ズーム倍率の始点及び終点を結ぶ直線を補正ズーム倍率として算出する場合における、ディジタルズーム倍率算出部２２による光学ズーム倍率補正処理を説明した図である。なお、この場合、補正ズーム倍率が光学ズーム倍率より小さくなることがあるので、電源投入時のディジタルズーム倍率は、初期値として１倍より大きい倍率に設定する必要があり、ここでは、“２”倍として設定している。また、ディジタルズーム倍率が、初期値として “２”倍として設定された場合、画像表示部１３に表示される画像のサイズと、画像記録部１６に記録される画像のサイズとを一致させるため、撮影光学部１２は、画像表示部１２に表示される画像の倍率の初期値を“２”倍として表示させる。
【００７５】
図６に示すように、ディジタルズーム倍率算出部２２は、光学ズーム倍率変化判定回路２３ａにより、検出時間ＰＴにおける光学ズーム倍率の変化がズーム倍率変化条件に一致すると判定された場合に、画像記録部１６に記録される補正画像の拡大又は縮小の変化状態の遷移が緩やかになるように補正ズーム倍率４０６を算出する。
【００７６】
具体的には、ディジタルズーム倍率算出部２２は、ｔ２時点における光学ズーム倍率（ａ１）と、ｔ５時点における光学ズーム倍率（ａ４）とを結ぶ直線を補正ズーム倍率４０６として算出する。
【００７７】
次に、ディジタルズーム倍率算出部２２は、算出した補正ズーム倍率４０６に基づいて、ディジタルズーム処理部１５が画像を拡大又は縮小させるためのディジタルズーム倍率を算出する。具体的には、補正ズーム倍率４０６を算出した期間、即ちｔ２時点〜ｔ５時点までの間のディジタルズーム倍率ＤＺを上述した数式１を用いて算出する。
【００７８】
そして、ディジタルズーム倍率算出部２２は、このようにして算出したディジタルズーム倍率４０７を撮影画像一時記憶部１４に記憶させた画像データと同期して、ＲＡＭ１８に記憶させる。
【００７９】
このように、検出時間ＰＴ両端の光学ズーム倍率を結ぶ直線を補正ズーム倍率として算出する場合、画像記録部１６に記録される補正画像の拡大又は縮小の変化状態の遷移がより緩やかになるようにディジタルズーム倍率を算出するので、利用者がズームミス操作を行った場合においても、より適切な画像を生成することができる。
【実施例２】
【００８０】
本発明の実施例１では、予め定めた検出時間ＰＴにおける光学ズーム倍率の変化を抽出し、この抽出された光学ズーム倍率の変化に基づいて、ディジタルズーム倍率を算出したが、検出時間ＰＴを固定値とせず、設定された光学ズーム倍率の速度に応じて変化するようにしてもよい。
【００８１】
図７（ａ）は、光学ズーム速度が遅い場合における検出時間と光学ズーム速度との関係を説明した図であり、図７（ｂ）は、光学ズーム速度が速い場合における検出時間と光学ズーム速度との関係を説明した図である。
【００８２】
図７（ａ）に示すように、光学ズーム速度が遅い場合、検出時間ＰＴにおける光学ズーム倍率５０１の変化を抽出し、この抽出された光学ズーム倍率の変化に基づいて、補正ズーム倍率５０２を算出することにより、補正画像の拡大又は縮小の変化状態の遷移が緩やかになる良好な画像を生成することができる。
【００８３】
一方、図７（ｂ）に示すように、光学ズーム速度が速い場合、第１の検出時間ＰＴ１における補正ズーム倍率５０４よりも、第１の検出時間ＰＴ１より長い第２の検出時間ＰＴ２における補正ズーム倍率５０５の方が、より補正画像の拡大又は縮小の変化状態の遷移が緩やかになる良好な画像を生成することができる。
【００８４】
そこで、本発明の実施例２では、光学ズーム倍率の速度に応じて検出時間を算出し、この算出された検出時間における光学ズーム倍率の変化を抽出し、この抽出された光学ズーム倍率の変化に基づいて、ディジタルズーム倍率を算出する撮影装置について説明する。
【００８５】
＜撮影装置の構成＞
図８は、本発明の実施例２である撮影装置の構成を示した構成図である。
【００８６】
本発明の実施例２である撮影装置２は、光学ズーム処理部１１と、撮影光学部１２と、画像表示部１３と、撮影画像一時記憶部１４と、ディジタルズーム処理部１５と、画像記録部１６と、ＲＯＭ１７と、ＲＡＭ１８と、ズーム倍率入力部１９と、操作部２０と、光学ズーム倍率記憶部２１と、ディジタルズーム倍率算出部２２と、制御部２３とを備える。
【００８７】
ここで、本発明の実施例２である撮影装置２が備える構成のうち、光学ズーム処理部１１と、撮影光学部１２と、画像表示部１３と、撮影画像一時記憶部１４と、ディジタルズーム処理部１５と、画像記録部１６と、ＲＯＭ１７と、ＲＡＭ１８と、ズーム倍率入力部１９と、操作部２０と、光学ズーム倍率記憶部２１と、ディジタルズーム倍率算出部２２については、本発明の実施例１である撮影装置１が備えるそれぞれ同一符号が付された構成と同一であるので、説明を省略する。
【００８８】
制御部２３は、撮影装置２の中枢的な制御を行う。具体的には、操作部２０から供給された操作信号に基づいて、撮影、画像の表示等基本的機能の制御を行う。
【００８９】
また、制御部２３は、操作部２０から供給された操作信号に基づいて、光学ズーム速度を設定し、ズーム倍率入力部１９からの操作信号に基づいて、設定された光学ズーム速度で光学ズーム倍率を変化させるよう光学ズーム処理部１１に命令する。
【００９０】
さらに、制御部２３は、その機能上、光学ズーム倍率変化判定回路２３ａと、検出時間算出回路２３ｂとを備える。
【００９１】
光学ズーム倍率変化判定回路２３ａは、光学ズーム倍率記憶部２１に記憶された光学ズーム倍率の変化がＲＯＭ１７に記憶されたズーム倍率変化条件に一致するか否かを判定する。
【００９２】
検出時間算出回路２３ｂは、光学ズーム倍率の変化速度に応じて検出時間ＰＴを算出する。
【００９３】
＜撮影装置の作用＞
次に、本発明の実施例２である撮影装置２の作用について説明する。
【００９４】
本発明の実施例２である撮影装置２は、主に光学ズーム倍率変化判定処理と、光学ズーム倍率補正処理と、検出時間算出処理を行う。このうち、光学ズーム倍率変化判定処理及び光学ズーム倍率補正処理は、本発明の第１の実施例である撮影装置１における光学ズーム倍率変化判定処理及び光学ズーム倍率補正処理と同一であるので、説明を省略する。
【００９５】
≪検出時間算出処理≫
図９は、光学ズーム速度と検出時間との関係を示した図である。
【００９６】
図９に示すように、本発明の実施例２である撮影装置２では、所定の最小ズーム速度から最大ズーム速度までの光学ズーム速度に対して、検出時間が比例関係となっている。
【００９７】
そこで、本発明の実施例２である撮影装置２の制御部２３の検出時間算出回路２３ｂは、図９に示した光学ズーム速度と検出時間との関係を用いて、設定された光学ズーム倍率に対応する検出時間を算出し、この算出された検出時間を光学ズーム倍率変化判定回路２３ａに供給する。
【００９８】
これにより、本発明の実施例２である撮影装置２によれば、設定された光学ズーム速度に応じて検出時間を算出し、この算出された検出時間における光学ズーム倍率の変化を抽出し、この抽出された光学ズーム倍率の変化に基づいて、補正ズーム倍率を算出するので、光学ズーム速度が速い場合においても、補正画像の拡大又は縮小の変化状態の遷移がより緩やかになる良好な画像を生成することができる。
【実施例３】
【００９９】
本発明の実施例１では、利用者の操作による光学ズーム倍率の変化を検出し、この光学ズーム倍率の変化に応じて、補正画像の拡大又は縮小の変化状態の遷移が緩やかになるようにディジタルズーム倍率を算出する撮影装置１を例に挙げて説明した。
【０１００】
本発明の実施例３では、利用者の操作による第１のディジタルズーム倍率の変化を検出し、この第１のディジタルズーム倍率の変化に応じて、補正画像の拡大又は縮小の変化状態の遷移が緩やかになるように第２のディジタルズーム倍率を算出する撮影装置を例に挙げて説明する。
【０１０１】
＜撮影装置の構成＞
図１０は、本発明の実施例３である撮影装置の構成を示した構成図である。
【０１０２】
本発明の実施例３である撮影装置３は、撮影光学部３２と、画像表示部３３と、撮影画像一時記憶部１４と、ディジタルズーム処理部３５と、画像記録部３６と、ＲＯＭ３７と、ＲＡＭ３８と、ズーム倍率入力部３９と、操作部２０と、第１のディジタルズーム倍率記憶部４１と、第２のディジタルズーム倍率算出部４２と、制御部４３とを備える。
【０１０３】
ここで、本発明の実施例３である撮影装置３が備える構成のうち、撮影画像一時記憶部１４と、操作部２０とは、本発明の実施例１である撮影装置１が備えるそれぞれ同一符号が付された構成と同一であるので、説明を省略する。
【０１０４】
撮影光学部３２は、入光する撮像光を撮像素子により光電変換して画像データを生成し、この生成された画像データをディジタルズーム処理部３５へ供給する。
【０１０５】
画像表示部３３は、有機ＥＬ（electroluminescence）ディスプレイや、液晶ディスプレイ等の画像出力手段を備え、制御部４３からの制御信号に従い、ディジタルズーム処理部３５から供給される画像データ、又は画像記録部３６から読み出したディジタル補正画像データに基づいて、画像を表示する。
【０１０６】
ディジタルズーム処理部３５は、その機能上、第１のディジタルズーム処理回路３５ａと、第２のディジタルズーム処理回路３５ｂとを備えている。
【０１０７】
第１のディジタルズーム処理回路３５ａは、ズーム倍率入力部３９から供給される操作信号に基づいて、撮影光学部３２により生成された画像データを、ディジタル処理により第１のディジタルズーム倍率で拡大又は縮小させる。
【０１０８】
第２のディジタルズーム処理回路３５ｂは、撮影画像一時記憶部１４に記憶された検出時間ＰＴ分の画像データを、ディジタル処理により第２のディジタルズーム倍率で拡大又は縮小させる。
【０１０９】
画像記録部３６は、例えばハードディスクドライブや光ディスクドライブを備え、制御部４３からの制御信号に従い、第２のディジタルズーム処理部３５ｂにより拡大又は縮小された補正画像の画像データをディジタル補正画像データとして記録する。
【０１１０】
ＲＯＭ３７は、第１のディジタルズーム処理回路３５ａによる第１のディジタルズーム倍率の変化の特性を、ズーム倍率変化条件として記憶する。
【０１１１】
なお、詳細については、図３に示した本発明の実施例１である撮影装置１のＲＯＭ１７が記憶するズーム倍率変化条件と同一であるので、説明を省略する。
【０１１２】
ＲＡＭ３８は、揮発性半導体素子などで構成され、制御部４３から供給される各種データを記憶する。
【０１１３】
ズーム倍率入力部３９は、ズーム倍率操作ボタンを備えており、利用者によるズーム倍率操作ボタンの操作に基づいて、第１のディジタルズーム処理回路３５ａが変更するディジタルズーム倍率を生成する。
【０１１４】
第１のディジタルズーム倍率記憶部４１は、所定の検出時間ＰＴ分の第１のディジタルズーム倍率を、撮影画像一時記憶部１４に記憶された所定の検出時間ＰＴ分の画像データに関連づけて記憶する。
【０１１５】
第２のディジタルズーム倍率算出部４２は、後述するディジタルズーム倍率変化判定回路４３ａによりズーム倍率変化条件に一致すると判定された場合に、画像記録部３６に記録する補正画像の拡大又は縮小の変化状態が緩やかに遷移するように、第２のディジタルズーム処理回路３５ｂが画像を拡大又は縮小させるための第２のディジタルズーム倍率を算出する。
【０１１６】
制御部４３は、撮影装置３の中枢的な制御を行う。具体的には、操作部２０から供給された操作信号に基づいて、撮影や画像表示等の基本的機能の制御を行う。
【０１１７】
また、制御部４３は、その機能上、ディジタルズーム倍率変化判定回路４３ａを備える。
【０１１８】
ディジタルズーム倍率変化判定回路４３ａは、第１のディジタルズーム倍率記憶部４１に記憶された第１のディジタルズーム倍率の変化が、ＲＯＭ３７に記憶されたズーム倍率変化条件に一致するか否かを判定する。
【０１１９】
＜撮影装置３の作用＞
次に、本発明の実施例３である撮影装置３の作用について説明する。
【０１２０】
本発明の実施例３である撮影装置３は、主に第１のディジタルズーム倍率記憶処理と、ディジタルズーム倍率変化判定処理と、ディジタルズーム倍率補正処理を行う。そのため、各々の処理について以下に詳細に説明する。
【０１２１】
≪第１のディジタルズーム倍率記憶処理≫
図１１は、本発明の実施例３である撮影装置３による第１のディジタルズーム倍率記憶処理及びディジタルズーム倍率変化判定処理を説明した図である。
【０１２２】
図１１に示すように、ｔ１時点において、撮影装置３は利用者の操作により電源を投入すると、撮影光学部３２は、ｔ１時点以降、入光する撮像光を内部に備えた撮像素子により光電変換して画像データを生成し、この生成された画像データを第１のディジタルズーム処理回路３５ａへ供給する。
【０１２３】
撮影光学部３２から画像データが供給された第１のディジタルズーム処理回路３５ａは、ｔ１時点以降、ズーム倍率入力部３９から供給される第１のディジタルズーム倍率の変更を要求する操作信号に基づいて、ディジタルズーム倍率を第１のディジタルズーム倍率７０１に示すように変更する。
【０１２４】
具体的には、ｔ１時点からｔ４時点までの間、第１のディジタルズーム処理回路３５ａは第１のディジタルズーム倍率を４倍（ａ１）から１０倍（ａ２）まで上げており、ｔ４時点からｔ５時点までの間、第１のディジタルズーム倍率を１０倍（ａ２〜ａ３）で維持しており、ｔ５時点からｔ６時点までの間、第１のディジタルズーム倍率を１０倍（ａ３）から８倍（ａ４）まで下げており、さらに、ｔ６時点からｔ７時点までの間、第１のディジタルズーム倍率を８倍（ａ４〜ａ５）で維持している。
【０１２５】
なお、ここでは、電源投入時の第１のディジタルズーム倍率は、初期値として４倍に設定されているものとする。
【０１２６】
そして、第１のディジタルズーム処理回路３５ａは、検出時間ＰＴ分の第１のディジタルズーム倍率で拡大又は縮小された画像データを撮影画像一時記憶部１４に記憶させる。具体的には、第１のディジタルズーム処理回路３５ａは、第１のディジタルズーム倍率で拡大又は縮小された画像データを撮影画像一時記憶部１４に記憶し続け、撮影画像一時記憶部１４に記憶された画像データが検出時間ＰＴ分に達すると、制御部４３が、生成された日時が古いものから順に画像データを第２のディジタルズーム処理回路３５ｂへ供給すると共に、撮影画像一時記憶部１４から削除する。そして、制御部４３は、新しく生成された画像データを撮影画像一時記憶部１４に記憶させる。
【０１２７】
なお、検出時間ＰＴは、長すぎても短すぎても、後述するディジタルズーム倍率変化判定処理において適切な判定ができなくなるので、提供者や利用者等が予め適正な値を設定しておく必要がある。
【０１２８】
そして、制御部４３は、撮影画像一時記憶部１４に記憶させた画像データと同期して、第１のディジタルズーム倍率を第１のディジタルズーム倍率記憶部４１に記憶させる。具体的には、図１１に示すように、検出時間ＰＴ分の第１のディジタルズーム倍率７０２を、撮影画像一時記憶部１４に記憶させた画像データ７０３と同期させて、第１のディジタルズーム倍率記憶部４１に記憶させる。このとき、制御部４３は、第１のディジタルズーム倍率記憶部４１に記憶された第１のディジタルズーム倍率が検出時間ＰＴ分に達すると、生成された日時が古いものから順に第１のディジタルズーム倍率を削除し、新しく生成された第１のディジタルズーム倍率を記憶させる。
【０１２９】
≪ディジタルズーム倍率変化判定処理≫
次に、図１１を用いて、本発明の実施例３である撮影装置３のディジタルズーム倍率変化判定処理について説明する。なお、ディジタルズーム倍率変化判定処理は、第１のディジタルズーム倍率記憶部４１に記憶された第１のディジタルズーム倍率が検出時間ＰＴ分に達した後、新しく生成された第１のディジタルズーム倍率が第１のディジタルズーム倍率記憶部４１に記憶される度に実行される。
【０１３０】
制御部４３のディジタルズーム倍率変化判定回路４３ａは、第１のディジタルズーム倍率記憶部４１に記憶された所定の検出時間ＰＴにおける第１のディジタルズーム倍率の変化、即ち第１のディジタルズーム倍率変化の状態数、第１のディジタルズーム倍率の変化状態、及び各変化状態の期間長を抽出する。
【０１３１】
ここで、第１のディジタルズーム倍率変化の状態数とは、第１のディジタルズーム倍率の変化率が一定である期間の数のことをいい、第１のディジタルズーム倍率の変化状態とは、第１のディジタルズーム倍率の変化率が一定である期間において、第１のディジタルズーム倍率が上昇（ズームアップ）しているのか、一定（ズーム変化なし）なのか、下降（ズームダウン）しているのかを示す記号のことをいい、変化状態の期間長とは、第１のディジタルズーム倍率の変化率が一定である期間の長さのことをいう。
【０１３２】
図１１に示した例では、ディジタルズーム倍率変化判定回路４３ａは、検出時間ＰＴにおける第１のディジタルズーム倍率変化の状態数を、ａ１〜ａ２間の状態（第１の状態７１１）、ａ２〜ａ３間の状態（第２の状態７１２）、ａ３〜ａ４間の状態（第３の状態７１３）、及びａ４〜ａ５間の状態（第４の状態７１４）の“４”として抽出する。
【０１３３】
また、ディジタルズーム倍率変化判定回路４３ａは、第１のディジタルズーム倍率の変化状態として、第１の状態７１１における第１のディジタルズーム倍率の変化状態を“ズームアップ”、第２の状態７１２における第１のディジタルズーム倍率の変化状態を“変化なし”、第３の状態７１３における第１のディジタルズーム倍率の変化状態を“ズームダウン”、第４の状態７１４における第１のディジタルズーム倍率の変化状態を“変化なし”として抽出する。
【０１３４】
さらに、ディジタルズーム倍率変化判定回路４３ａは、変化状態の期間長として、第１の状態７１１の期間長を“ＳＴ１”、第２の状態７１２の期間長を“ＳＴ２”、第３の状態７１３の期間長を“ＳＴ３”、及び第４の状態７１４の期間長を“ＳＴ４”として抽出する。
【０１３５】
次に、ディジタルズーム倍率変化判定回路４３ａは、抽出した第１のディジタルズーム倍率変化の状態数、第１のディジタルズーム倍率の変化状態、及び各変化状態の期間長が、ＲＯＭ３７に記憶されたズーム倍率変化条件、即ち図３に示したズーム倍率変化条件に一致するか否かを判定する。
【０１３６】
図１１に示した例では、第１のディジタルズーム倍率変化の状態数が“４”であり、第１のディジタルズーム倍率の変化状態が“ズームアップ”、“変化なし”、“ズームダウン” 、“変化なし”であるので、これと一致するズーム倍率変化条件として、ズーム倍率変化条件３０３を抽出する。そして、ディジタルズーム倍率変化判定回路４３ａは、このズーム倍率変化条件３０３から状態の判定条件２０３の条件式“ＳＴ２≦ｅ２２”、“ＳＴ３≦ｅ２３”、及び“ＳＴ４≧ｅ２４”を抽出し、期間長ＳＴ２、ＳＴ３、及びＳＴ４がこの抽出した条件式を満たすか否かを判定する。
【０１３７】
ここで、ｅ２２は、ｅ２３、及びｅ２４は、提供者等によって予め設定されている。
【０１３８】
ＳＴ２及びＳＴ３が十分短い場合、利用者が誤操作を行ったと認識してディジタルズーム倍率を変更する操作をしたと推測できるので、所定のｅ２２及びｅ２３を上限値として設けている。また、ＳＴ４が十分長い場合、利用者が所望のディジタルズーム倍率に到達したと推測できるので、所定のｅ２４を下限値として設けている。
【０１３９】
そして、この条件式を満たすと判定された場合、ディジタルズーム倍率変化判定回路４３ａは、検出時間ＰＴにおける第１のディジタルズーム倍率の変化が、ＲＯＭ３７に記憶されたズーム倍率変化条件に一致すると判定する。
【０１４０】
≪ディジタルズーム倍率補正処理≫
図１２は、本発明の実施例３である撮影装置３の第２のディジタルズーム倍率算出部４２によるディジタルズーム倍率補正処理を説明した図である。
【０１４１】
図１２に示すように、第２のディジタルズーム倍率算出部４２は、ディジタルズーム倍率変化判定回路４３ａにより、検出時間ＰＴにおける第１のディジタルズーム倍率の変化がズーム倍率変化条件に一致すると判定された場合に、画像記録部３６に記録された補正画像の拡大又は縮小の変化状態の遷移が緩やかになるように補正ズーム倍率７０４を算出する。
【０１４２】
具体的には、第２のディジタルズーム倍率算出部４２は、ｔ６時点における第１のディジタルズーム倍率（ａ４）をｔ３時点における第１のディジタルズーム倍率（ａ１）まで延長して、ｔ３時点における光学ズーム倍率（ａ１）と、ｔ６時点における光学ズーム倍率（ａ４）とを結ぶ直線を補正ズーム倍率７０４として算出する。
【０１４３】
次に、第２のディジタルズーム倍率算出部４２は、算出した補正ズーム倍率７０４に基づいて、第２のディジタルズーム倍率を算出する。
【０１４４】
具体的には、補正ズーム倍率７０４を算出した期間、即ちｔ３時点〜ｔ６時点までの間の第２のディジタルズーム倍率を下記数式２を用いて算出する。
【０１４５】
ＤＺ２＝ＲＺ／ＤＺ１      （数式２）
ここで、ＤＺ２を第２のディジタルズーム倍率、ＲＺを算出した補正ズーム倍率、ＤＺ１を第１のディジタルズーム倍率とする。
【０１４６】
そして、第２のディジタルズーム倍率算出部４２は、このようにして算出した第２のディジタルズーム倍率７０５を撮影画像一時記憶部１４に記憶させた画像データと同期して、ＲＡＭ３８に記憶させる。
【０１４７】
次に、第２のディジタルズーム処理部３５ｂは、ＲＡＭ３８に記憶された第２のディジタルズーム倍率に基づいて、撮影画像一時記憶部１４に記憶された画像データを拡大又は縮小してディジタル補正画像データを生成し、この生成されたディジタル補正画像データを画像記録部３６に記録させる。
【０１４８】
以上のように、本発明の実施例３である撮影装置３によれば、第１のディジタルズーム倍率記憶部４１に記憶された第１のディジタルズーム倍率の変化がズーム倍率変化条件に一致すると判定された場合に、画像記録部３６に記録される補正画像の拡大又は縮小の変化状態の遷移が緩やかになるように、第２のディジタルズーム倍率を算出するので、利用者がズームミス操作を行った場合においても、適切な画像を生成することができる。
【０１４９】
本発明の実施例３では、予め定めた検出時間ＰＴにおける第１のディジタルズーム倍率の変化を抽出し、この抽出された第１のディジタルズーム倍率の変化に基づいて、第２のディジタルズーム倍率を算出したが、検出時間ＰＴを固定値とせず、設定された第１のディジタルズーム倍率の速度に応じて変化するようにしてもよい。
【実施例４】
【０１５０】
本発明の実施例１では、利用者の操作による光学ズーム倍率の変化を検出し、この光学ズーム倍率の変化に応じて、画像記録部１６に記録される補正画像の拡大又は縮小の変化状態の遷移が緩やかになるようにディジタルズーム倍率を算出する撮影装置１を例に挙げて説明した。
【０１５１】
本発明の実施例４では、光学ズーム機能を有する光学ズーム機能付き撮影装置と、ディジタルズーム機能を有するディジタルズーム機能付き撮影装置と、光学ズーム機能付き撮影装置により記録された、又はディジタルズーム機能付き撮影装置により記録された画像データ、ズーム倍率、及びズーム速度に基づいて、ズーム倍率の変化を検出し、このズーム倍率の変化に応じて、表示画像の拡大又は縮小の変化状態の遷移が緩やかになるようにディジタルズーム倍率を算出する再生装置とを備えた撮影システムを例に挙げて説明する。
【０１５２】
＜撮影システムの構成＞
図１３は、本発明の実施例４である撮影システムの構成を示す構成図である。
【０１５３】
図１３に示すように、本発明の実施例４である撮影システム１０は、光学ズーム機能付き撮影装置５と、ディジタルズーム機能付き撮影装置６と、再生装置４とを備える。
【０１５４】
光学ズーム機能付き撮影装置５は、光学ズーム機能を有しており、利用者の操作に応じて光学的に画像を拡大又は縮小し、この拡大又は縮小された画像データとズーム倍率とズーム速度とを光ディスク７に記録する。
【０１５５】
ディジタルズーム機能付き撮影装置６は、ディジタルズーム機能を有しており、利用者の操作に応じて撮影した画像をディジタル処理より拡大又は縮小し、この拡大又は縮小された画像データとズーム倍率とズーム速度とを光ディスク７に記録する。
【０１５６】
再生装置４は、光学ズーム機能付き撮影装置５により記録された、又はディジタルズーム機能付き撮影装置６により記録された画像データ、ズーム倍率、及びズーム速度が光ディスク７を介して供給されると、この供給された画像データ、ズーム倍率、ズーム速度に基づいて、ズーム倍率の変化を検出し、このズーム倍率の変化に応じて、表示画像の拡大又は縮小の変化状態の遷移が緩やかになるようにディジタルズーム倍率を算出する。
【０１５７】
なお、光学ズーム機能付き撮影装置５又はディジタルズーム機能付き撮影装置６から、画像データ、ズーム倍率、及びズーム速度を供給するための記憶媒体として、光ディスク７に限られない。例えば、ハードディスクや磁気テープを用いて再生装置４に画像データ、ズーム倍率、及びズーム速度を供給するようにしてもよい。
【０１５８】
＜光学ズーム機能付き撮影装置５の構成＞
図１４は、本発明の実施例４である撮影システム１０に備えられた光学ズーム機能付き撮影装置５の構成を示した構成図である。
【０１５９】
光学ズーム機能付き撮影装置５は、光学ズーム処理部１１と、撮影光学部２４と、画像表示部１３と、画像記録部２５と、ＲＯＭ２６と、ＲＡＭ２７と、ズーム倍率入力部１９と、操作部２０と、制御部２８とを備える。
【０１６０】
ここで、本発明の実施例４である撮影システム１０に備えられた光学ズーム機能付き撮影装置５が備える構成のうち、光学ズーム処理部１１と、画像表示部１３と、ズーム倍率入力部１９と、操作部２０については、本発明の実施例１である撮影装置１が備えるそれぞれ同一符号が付された構成と同一であるので、説明を省略する。
【０１６１】
撮影光学部２４は、光学ズーム処理部１１から入光する撮像光を撮像素子により光電変換して画像データを生成し、この生成された画像データに基づいて、画像を画像表示部１３に表示させると共に、生成された画像データに制御部２８から供給されたズーム倍率及びズーム速度を関連づけて、ズーム画像データとして画像記録部２５に記録させる。
【０１６２】
図１５は、画像記録部２５に記録させたズーム画像データの一例を示した図である。
【０１６３】
図１５に示すように、ズーム画像データ８０１は、ユーザデータ領域８０２と画像データ領域８０３に領域分割されている。
【０１６４】
画像データ領域８０３には、画像データが記録されている。
【０１６５】
ユーザデータ領域８０２には、画像データ領域８０３に記録された画像データに関連づけられて、ズーム倍率及びズーム速度が記録されている。
【０１６６】
画像記録部２５は、光ディスクドライブを備え、制御部２８からの制御信号に従い、撮影光学部２４から供給されたズーム画像データを記録する。
【０１６７】
ＲＯＭ２６は、光学ズーム機能付き撮影装置５が動作するための制御プログラム等を記憶する。
【０１６８】
ＲＡＭ２７は、揮発性半導体素子などで構成され、制御部２８から供給される各種データを記憶する。
【０１６９】
制御部２８は、光学ズーム機能付き撮影装置５の中枢的な制御を行う。具体的には、操作部２０から供給された操作信号に基づいて、撮影や画像表示等の基本的機能の制御を行う。
【０１７０】
＜ディジタルズーム機能付き撮影装置６の構成＞
図１６は、本発明の実施例４である撮影システム１０に備えられたディジタルズーム機能付き撮影装置６の構成を示した構成図である。
【０１７１】
ディジタルズーム機能付き撮影装置６は、撮影光学部３２と、ディジタルズーム処理部４４と、画像表示部３３と、画像記録部４５と、ＲＯＭ４６と、ＲＡＭ４７と、ズーム倍率入力部３９と、操作部２０と、制御部４８とを備える。
【０１７２】
ここで、本発明の実施例４である撮影システム１０に備えられたディジタルズーム機能付き撮影装置６が備える構成のうち、撮影光学部３２と、画像表示部３３と、ズーム倍率入力部３９と、操作部２０については、本発明の実施例３である撮影装置３が備えるそれぞれ同一符号が付された構成と同一であるので、説明を省略する。
【０１７３】
ディジタルズーム処理部４４は、撮影光学部３２から供給される画像データに対して、制御部４８から供給されるズーム倍率で拡大又は縮小し、この拡大又は縮小された画像データに基づいて、画像を画像表示部３３に表示させると共に、拡大又は縮小された画像データに、制御部２８から供給されたズーム倍率及びズーム速度を関連づけて、ズーム画像データとして画像記録部４５に記録させる。
【０１７４】
このズーム画像データについては、図１５に示したズーム画像データと同一であるので、説明を省略する。
【０１７５】
画像記録部４５は、光ディスクドライブを備え、制御部４８からの制御信号に従い、ディジタルズーム処理部４４から供給されたズーム画像データを記録する。
【０１７６】
ＲＯＭ４６は、ディジタルズーム機能付き撮影装置６が動作するための制御プログラム等を記憶する。
【０１７７】
ＲＡＭ４７は、揮発性半導体素子などで構成され、制御部４８から供給される各種データを記憶する。
【０１７８】
制御部４８は、ディジタルズーム機能付き撮影装置６の中枢的な制御を行う。具体的には、操作部２０から供給された操作信号に基づいて、撮影や画像表示等の基本的機能の制御を行う。
【０１７９】
＜再生装置４の構成＞
図１７は、本発明の実施例４である撮影システム１０に備えられた再生装置４の構成を示した構成図である。
【０１８０】
再生装置４は、抽出部５１と、画像一時記憶部５４と、ディジタルズーム処理部５５と、画像表示部５３と、ＲＯＭ５７と、ＲＡＭ５８と、ディジタルズーム倍率算出部６２と、ズーム倍率記憶部６１と、操作部２０、制御部６３とを備える。
【０１８１】
抽出部５１は、ズーム画像データから画像データとズーム倍率とズーム速度とを抽出する。
【０１８２】
画像一時記憶部５４は、後述する制御部６３の検出時間算出回路６３ｂにより算出された検出時間分の抽出部５１により抽出された画像データを記憶する。
【０１８３】
ディジタルズーム処理部５５は、画像一時記憶部５４に記憶された画像データに基づいて得られる画像をディジタル処理により拡大又は縮小させてディジタル補正画像データを生成する。
【０１８４】
画像表示部５３は、ディジタルズーム処理部５５により生成されたディジタル補正画像データに基づいて、表示画像を表示する。
【０１８５】
ＲＯＭ５７は、ズーム倍率の変化の特性を、ズーム倍率変化条件として記憶する。
【０１８６】
なお、詳細については、図３に示した本発明の実施例１である撮影装置１のＲＯＭ１７が記憶するズーム倍率変化条件と同一であるので、説明を省略する。
【０１８７】
ＲＡＭ５８は、揮発性半導体素子などで構成され、後述するディジタルズーム倍率算出部６２により算出された検出時間分のディジタルズーム倍率を、画像一時記憶部５４に記憶された検出時間分の画像データに関連づけて記憶する他、制御部６３から供給される各種データを記憶する。
【０１８８】
ディジタルズーム倍率算出部６２は、後述する制御部６３のズーム倍率変化判定回路６３ａによりズーム倍率変化条件に一致すると判定された場合に、画像表示部５３に表示される表示画像の拡大又は縮小の変化状態が緩やかに遷移するように、ディジタルズーム処理部５５が画像を拡大又は縮小させるためのディジタルズーム倍率を算出する。
【０１８９】
ズーム倍率記憶部６１は、検出時間算出回路６３ｂにより算出された、抽出部５１により抽出された検出時間分のズーム倍率を、検出時間算出回路６３ｂにより算出された検出時間分の画像一時記憶部５４に記憶された画像データに関連づけて記憶する。
【０１９０】
操作部２０は、各種操作ボタン等を備えており、利用者による各種操作ボタン等の操作に基づいて、各種操作信号を生成する。
【０１９１】
制御部６３は、再生装置４の中枢的な制御を行う。具体的には、操作部２０から供給された操作信号に基づいて、画像データの再生や表示等の基本的機能の制御を行う。
【０１９２】
また、制御部６３は、その機能上、ズーム倍率変化判定回路６３ａと、検出時間算出回路６３ｂとを備える。
【０１９３】
ズーム倍率変化判定回路６３ａは、ズーム倍率記憶部６１に記憶されたズーム倍率の変化がＲＯＭ５７に記憶されたズーム倍率変化条件に一致するか否かを判定する。
【０１９４】
検出時間算出回路６３ｂは、本発明の実施例２に示した撮影装置２と同様に、抽出部５１により抽出されたズーム速度に応じて、検出時間を算出する。
【０１９５】
＜再生装置４の作用＞
次に、本発明の実施例４である撮影システム１０に備えられた再生装置４の作用について説明する。
【０１９６】
再生装置４は、ズーム倍率変化判定処理と、ズーム倍率補正処理を行う。そのため、各々の処理について以下に詳細に説明する。
【０１９７】
≪ズーム倍率変化判定処理≫
図１８は、本発明の実施例４である撮影システム１０に備えられた再生装置４のズーム倍率変化判定処理を説明した図である。
【０１９８】
抽出部５１は、光ディスク７が挿入されると、この光ディスク７に記憶されたズーム画像データから画像データとズーム倍率とズーム速度とを含むズーム画像データを抽出し、抽出された画像データを画像一時記憶部５４に供給すると共に、抽出されたズーム倍率とズーム速度とを制御部６３へ供給する。
【０１９９】
そして、制御部６３のズーム倍率変化判定回路６３ａは、抽出部５１から供給されたズーム倍率をズーム倍率記憶部６１に記憶する。
【０２００】
次に、制御部６３のズーム倍率変化判定回路６３ａは、ズーム倍率記憶部６１に記憶された検出時間算出回路６３ｂにより算出された検出時間ＰＴ分のズーム倍率から、ズーム倍率の変化、即ちズーム倍率変化の状態数、ズーム倍率の変化状態、及び各変化状態の期間長を抽出する。
【０２０１】
ズーム倍率変化の状態数とは、ズーム倍率の変化率が一定である期間の数のことをいい、ズーム倍率の変化状態とは、ズーム倍率の変化率が一定である期間において、ズーム倍率が上昇（ズームアップ）しているのか、一定（ズーム変化なし）なのか、下降（ズームダウン）しているのかを示す記号のことをいい、変化状態の期間長とは、ズーム倍率の変化率が一定である期間の長さのことをいう。
【０２０２】
図１８に示した例では、ズーム倍率変化判定回路６３ａは、検出時間ＰＴにおけるズーム倍率変化の状態数を、ａ１〜ａ２間の状態（第１の状態９１１）、ａ２〜ａ３間の状態（第２の状態９１２）、及びａ３〜ａ４間の状態（第３の状態９１３）の“３”として抽出する。
【０２０３】
また、ズーム倍率変化判定回路６３ａは、ズーム倍率の変化状態として、第１の状態９１１における光学ズーム倍率の変化状態を“ズームアップ”、第２の状態９１２におけるズーム倍率の変化状態を“変化なし”、第３の状態９１３におけるズーム倍率の変化状態を“ズームアップ”として抽出する。
【０２０４】
さらに、ズーム倍率変化判定回路６３ａは、変化状態の期間長として、第１の状態９１１の期間長を“ＳＴ１”、第２の状態９１３の期間長を“ＳＴ２”、第３の状態９１３の期間長を“ＳＴ３”として抽出する。
【０２０５】
次に、ズーム倍率変化判定回路６３ａは、抽出したズーム倍率変化の状態数、ズーム倍率の変化状態、及び各変化状態の期間長が、ＲＯＭ５７に記憶されたズーム倍率変化条件、即ち図３に示したズーム倍率変化条件に一致するか否かを判定する。
【０２０６】
図１８に示した例では、ズーム倍率変化の状態数が“３”であり、ズーム倍率の変化状態が“ズームアップ”、“変化なし”、“ズームアップ”であるので、これと一致するズーム倍率変化条件として、ズーム倍率変化条件３０２を抽出する。そして、ズーム倍率変化判定回路６３ａは、このズーム倍率変化条件３０２から状態の期間長２０３の条件式“ＳＴ２≦ｅ１２”及び“ＳＴ３≧ｅ１３”を抽出し、期間長ＳＴ２及びＳＴ３がこの抽出された条件式を満たすか否かを判定する。
【０２０７】
そして、この条件式を満たすと判定された場合、ズーム倍率変化判定回路６３ａは、検出時間ＰＴにおけるズーム倍率の変化が、ＲＯＭ５７に記憶されたズーム倍率変化条件に一致すると判定する。
【０２０８】
≪ズーム倍率補正処理≫
図１９は、本発明の実施例４である撮影システム１０に備えられた再生装置４のディジタルズーム倍率算出部６２によるズーム倍率補正処理を説明した図である。
【０２０９】
図１９に示すように、ディジタルズーム倍率算出部６２は、ズーム倍率変化判定回路６３ａにより、検出時間ＰＴにおけるズーム倍率の変化がズーム倍率変化条件に一致すると判定された場合に、画像表示部５３に表示される表示画像の拡大又は縮小の変化状態の遷移が緩やかになるように補正ズーム倍率９０４を算出する。
【０２１０】
具体的には、ディジタルズーム倍率算出部６２は、ｔ３時点におけるズーム倍率（ａ２）と、ｔ５時点におけるズーム倍率（ａ４）とを結ぶ直線を補正ズーム倍率９０４として算出する。
【０２１１】
次に、ディジタルズーム倍率算出部６２は、算出した補正ズーム倍率９０４に基づいて、ディジタルズーム処理部５５が画像を拡大又は縮小させるためのディジタルズーム倍率を算出する。具体的には、補正ズーム倍率９０４を算出した期間、即ちｔ３時点〜ｔ５時点までの間におけるディジタルズーム倍率を下記数式３を用いて算出する。
【０２１２】
ＤＺ＝ＲＺ／Ｚ      （数式３）
ここで、ＤＺをディジタルズーム倍率、ＲＺを算出した補正ズーム倍率、Ｚをズーム倍率記憶部６１に記憶されたズーム倍率とする。
【０２１３】
そして、ディジタルズーム倍率算出部６２は、このようにして算出したディジタルズーム倍率９０５を画像一時記憶部５４に記憶させた画像データと同期して、ＲＡＭ５８に記憶させる。
【０２１４】
次に、ディジタルズーム処理部５５は、ディジタルズーム倍率算出部６２により算出されたディジタルズーム倍率に基づいて、画像一時記憶部５４に記憶された画像データを拡大又は縮小してディジタル補正画像データを生成し、この生成されたディジタル補正画像データに基づいて、画像表示部５３に表示画像を表示させる。
【０２１５】
以上のように、本発明の実施例４である撮影システム１０の再生装置４によれば、ズーム倍率記憶部６１に記憶されたズーム倍率の変化がズーム倍率変化条件に一致すると判定された場合に、画像表示部５３に表示される表示画像の拡大又は縮小の変化状態の遷移が緩やかになるように、ディジタルズーム倍率を算出するので、利用者がズームミス操作を行った場合における画像に対して適切に補正し、この補正された画像を表示することができる。
【０２１６】
本発明の実施例４では、設定された光学ズーム倍率の速度に応じて算出した検出時間ＰＴにおける光学ズーム倍率の変化を抽出し、この抽出された光学ズーム倍率の変化に基づいて、ディジタルズーム倍率を算出したが、これに限らず、検出時間ＰＴを固定値としてもよい。
【図面の簡単な説明】
【０２１７】
【図１】本発明の実施例１である撮影装置の構成を示した構成図である。
【図２】本発明の実施例１である撮影装置を構成するディジタルズーム処理部によるディジタル処理を説明した図であり、（ａ）は、撮影画像を示しており、（ｂ），（ｃ）は、ディジタルズーム処理部により撮影画像が拡大された表示画像を示している。
【図３】本発明の実施例１である撮影装置を構成するＲＯＭが記憶するズーム倍率変化条件の一例を示した図である。
【図４】本発明の実施例１である撮影装置の光学ズーム倍率記憶処理及び光学ズーム倍率変化判定処理を説明した図である。
【図５】本発明の実施例１である撮影装置のディジタルズーム倍率算出部２２による光学ズーム倍率補正処理を説明した図である。
【図６】検出時間ＰＴの間における光学ズーム倍率の始点及び終点を結ぶ直線を補正ズーム倍率として算出する場合における、ディジタルズーム倍率算出部による光学ズーム倍率補正処理を説明した図である。
【図７】（ａ）は、光学ズーム速度が遅い場合における検出時間と光学ズーム速度との関係を説明した図であり、（ｂ）は、光学ズーム速度が速い場合における検出時間と光学ズーム速度との関係を説明した図である。
【図８】本発明の実施例２である撮影装置の構成を示した構成図である。
【図９】光学ズーム速度と検出時間との関係を示した図である。
【図１０】本発明の実施例３である撮影装置の構成を示した構成図である。
【図１１】本発明の実施例３である撮影装置による第１のディジタルズーム倍率記憶処理及びディジタルズーム倍率変化判定処理を説明した図である。
【図１２】本発明の実施例３である撮影装置の第２のディジタルズーム倍率算出部によるディジタルズーム倍率補正処理を説明した図である。
【図１３】本発明の実施例４である撮影システムの構成を示す構成図である。
【図１４】本発明の実施例４である撮影システムに備えられた光学ズーム機能付き撮影装置の構成を示した構成図である。
【図１５】本発明の実施例４である撮影システムに備えられた光学ズーム機能付き撮影装置を構成する画像記録部に記録させたズーム画像データの一例を示した図である。
【図１６】本発明の実施例４である撮影システムに備えられたディジタルズーム機能付き撮影装置の構成を示した構成図である。
【図１７】本発明の実施例４である撮影システムに備えられた再生装置４の構成を示した構成図である。
【図１８】本発明の実施例４である撮影システムに備えられた再生装置４のズーム倍率変化判定処理を説明した図である。
【図１９】本発明の実施例４である撮影システムに備えられた再生装置４を構成するディジタルズーム倍率算出部によるズーム倍率補正処理を説明した図である。
【符号の説明】
【０２１８】
１，２，３…撮影装置
４…再生装置
４…撮影システム
５…光学ズーム機能付き撮影装置
６…ディジタルズーム機能付き撮影装置
７…光ディスク
１０…撮影システム
１１…光学ズーム処理部
１２，２４，３２…撮影光学部
１３，３３，５３…画像表示部
１４…撮影画像一時記憶部
１５，３５，４４，５５…ディジタルズーム処理部
１６，２５，３６，４５…画像記録部
１７，２６，３７，４６，５７…ＲＯＭ
１８，２７，３８，４７，５８…ＲＡＭ
１９，３９…ズーム倍率入力部
２０…操作部
２１…光学ズーム倍率記憶部
２２，６２…ディジタルズーム倍率算出部
２３，２８，３３，４３，４８，６３…制御部
２３ａ…光学ズーム倍率変化判定回路
２３ｂ，６３ｂ…検出時間算出回路
３５ａ…第１のディジタルズーム処理回路
３５ｂ…第２のディジタルズーム処理回路
４１…第１のディジタルズーム倍率記憶部
４２…第２のディジタルズーム倍率算出部
４３ａ…ディジタルズーム倍率変化判定回路
５１…抽出部
５４…画像一時記憶部
６１…ズーム倍率記憶部
６３ａ…ズーム倍率変化判定回路
【図１】
2010016601.tif 000003
【図２】
2010016601.tif 000004
【図３】
2010016601.tif 000005
【図４】
2010016601.tif 000006
【図５】
2010016601.tif 000007
【図６】
2010016601.tif 000008
【図７】
2010016601.tif 000009
【図８】
2010016601.tif 000010
【図９】
2010016601.tif 000011
【図１０】
2010016601.tif 000012
【図１１】
2010016601.tif 000013
【図１２】
2010016601.tif 000014
【図１３】
2010016601.tif 000015
【図１４】
2010016601.tif 000016
【図１５】
2010016601.tif 000017
【図１６】
2010016601.tif 000018
【図１７】
2010016601.tif 000019
【図１８】
2010016601.tif 000020
【図１９】
2010016601.tif 000021